(57)【要約】      （修正有）【課題】小幅板を斜めに張り合わせ一枚のパネルとして、補強材入りまたは補強材無しの構造合板パネルを提供する。【解決手段】帯状の小幅板材１側面の木端側に設けた実加工実加工部を接合して構成した構造合板パネルを構成するのに、該構造合板パネルの裏面に二本から四本位の補強材を入れて強度を増した構造合板パネルと、補強材無しで構成する小幅板を斜めに接合してなる構造合板パネルで、これらを雇い実と目隠釘で接合するものである。【選択図】図１６
0003153229.tif 000002
【実用新案登録請求の範囲】
【請求項１】
帯状の小幅板材側面の木端側を実加工して一対の雄実と雌実を形成し、該小幅板材の実加工部を接合して方形状の平板状の構造合板パネル形態に構成したものに、該構造合板パネルの隣接する二片に雄実ＰＡを形成し、他の二片に雌実ＰＢを形成した雄実雌実付きのパネルに形成したもの、若しくは該構造合板パネルの四方の辺全部を本実加工の雌実ＰＢを加工形成した雌実付きのパネルに形成したものとして、雄実雌実付きのパネルの雌実ＰＢあるいは雌実付きのパネルの雌実ＰＢ同士を接合する際に、雌実ＰＢ同士に嵌合する細幅板状の雇い実Ｓを用いて接合するのに、該雇い実Ｓを雌実ＰＢに嵌合した状態で目隠し釘Ｋを雇い実Ｓとパネル部を貫通させた状態に打って構造合板パネルを捨張コンパネ又は根太などの下地部材に接合して後、該雇い実Ｓに隣接する構造合板パネルと接合できることを特徴とする小幅板を斜めに接合してなる構造合板パネル。
【請求項２】
この構造合板パネルの裏側に強度を増す為に上下若しくは左右方向に補強材Ｈを入れ横若しくは縦からの荷重に対して強度を増やした補強材付きの構造合板パネルと、構造合板パネルの裏面に補強材を入れてない補強材無しの構造合板パネルとを加工形成したことを特徴とする請求項１に記載の小幅板を斜めに接合してなる構造合板パネル。
【請求項３】
構造合板の部材Ａを作るのに、小幅板材を構造合板の辺に対して斜め方向に配置して、木端側を斜めに張り合わせた斜行板に構成し、次に、裏面に二本から四本位の補強材を裏の面と平らになるように入れて強度を増した補強材付きの構造合板パネルと、もう一つは裏面に補強材の入ってない補強材無しの構造合板パネルとを加工形成して合板サイズと同様サイズに出来上がった斜行板を接合してなることを特徴とする請求項１に記載の小幅板を斜めに接合してなる構造合板パネル。
【請求項４】
小幅板材を杉、桧等からなる板材で構成し、該板材の厚さ１０ミリ〜４０ミリ位、巾６０ミリ〜１２０ミリ位に構成し、合板パネルサイズは一辺の長さが３００〜９００ミリの方形状に構成したことを特徴とする請求項１または請求項２または請求項３に記載の小幅板を斜めに配置してなる構造合板パネル。
【請求項５】
斜行板に構成する小幅板材の中央に位置する実加工部接合面を方形角部の対角線上に位置するように配置して上下に振り分け接続するように構成したことを特徴とする請求項３に記載の小幅板を斜めに配置して接合してなる構造合板パネル。
【請求項６】
斜行板に構成する小幅板材の中央に位置する実加工部接合面を方形角部の対角線上に位置するように配置して上下に振り分け接続するように構成し、構造合板パネルの隣接する二片に形成した雄実に対して、表側において斜行板の方向を、右肩下がり傾向に形成したパターン１のものと、右肩上がり傾向に形成したパターン２のものに形成し、パターン１のものと、パターン２のものを適宜に組み合わせて一般建築又は住宅用材料に構成できるようにし、もう一つは構造合板パネルの四方全部の辺を本実加工の雌加工にして雇い実を雇い隣接する構造合板パネルと接合できるようにして一般建築又は住宅材料に構成できるようにしたことを特徴とする請求項１から請求項５のいずれかに記載の小幅板を斜めに配置して接合してなる構造合板パネル。
【考案の詳細な説明】
【技術分野】
【０００１】
本考案は、小幅の板を斜めに貼り合わせて一枚の斜行板にした小幅板を斜めに接合してなる構造合板パネルに関するものである。そして、構造合板パネルの周辺に雇い実を嵌合する雌実部を形成して雇い実と目隠し釘とを用いて構造合板パネルの接合張り付けを確実にすると共に、さらに裏側に補強材を入れた斜行板からなる補強材付きの構造合板パネルと裏側に補強材を入れない斜行板にした補強材無しの構造合板パネルに加工形成したことも特徴とするものである。補強材付きの構造合板パネルを採用することにより横からの荷重がかかった場合に、荷重を面全体で受けることができる斜めの板部材からなる住宅用構造合板に関するものである。
【背景技術】
【０００２】
現在の日本の山林の荒廃は適切な間伐が行われてないところに起因する。適切な間伐を行いながら適木を育てていく事が、日本の山林にとっては重要なことである。
随時に間伐を行えば、植林、伐採のサイクルの回転が良くなり荒廃した山林が少なくなる。本考案で説明する実施例製品の斜行板は杉、桧の間伐材を有効利用して作っている。製品の巾は間伐材の未口径に合わせ７５ミリ位からとして、又長さは短いところで２０センチくらいで山での間伐で山元に捨てられるような短尺な長さの丸太も使用できるように工夫している。地球環境が大きな問題となっている昨今、この製品の斜行板は地球環境にも優しく、日本の山林にも有益である。また無垢材を使用しているので、シックハウス症候群に対しても有効である。従来は、これらの斜行板として例えば特許文献１に示されるものがあり、本考案者出願に係る特許文献２に示されるものがある。
【先行技術文献】
【特許文献】
【０００３】
【特許文献１】特許第３７２９４１０号公報
【特許文献２】実用新案登録第３１４１０８５号公報
【考案の概要】
【考案が解決しようとする課題】
【０００４】
上記特許文献１に示される斜行型単板積層材の製造方法は、構造がしっかりしたものが製造されるが、木材をシート状にスライスして張り合わせていく形態のもので大量生産設備を要しないと生産効率が上がらないことや、製造コストが高くなる恐れがあるものであり小規模製材設備では採用がしにくい面があると思われる。
【０００５】
本考案が前述の状況に鑑み、解決しようとするところは、既存の小規模製材設備で対応が可能である小幅板を斜めに繋ぎ合わせ一枚のパネルとして住宅用構造合板を提供する点にある。
また、住宅の施工能力面では、現在の住宅建築の壁材に小幅板の竪張り、横張りがあるが、職人が一枚一枚手張りをしているので多くの手間がかかっている。特許文献２のものはこれらを解決すべく創案したものであるが、これを更に本考案に説明する斜行板で構成する構造合板パネルを壁面に使用すれば、職人の手張りの手間を大幅に省ける。
また、この斜行板の厚さ１０ミリから４０ミリくらいに厚くすれば床材として又壁材として、無垢材としても使用できる。更に木製ドア、引き戸、建具材としても使用できるものである。
そして、本考案の構造合板パネルによれば、斜行板の向きを異ならせたパターン１のものと、パターン２のものを用意してこれらを適宜に組み合わせ接続することにより任意な意匠形態のものを得ることができる、又もうひとつ、本考案の構造合板パネルの四方の辺全部を本実加工のメス加工として図１０に示される雌実ＰＢと、雇い実Ｓを入れ接着剤Ｍを充填して隣接の合板パネルと接合させると図１０に示されるパターン７の構造合板パネル一枚の製造だけで、任意な意匠形態のものを得ることができる。これらにより図１１及び図１２に示される組み合わせパターン３〜組み合わせパターン６の意匠形態を得ることができる。
【課題を解決するための手段】
【０００６】
本考案は、前述の課題解決のために、第一に、帯状の小幅板材側面の木端側を実加工して一対の雄実と雌実を形成し、該小幅板材の実加工部を接合して方形状の平板状の構造合板パネル形態に構成したものに、該構造合板パネルの隣接する二片に雄実ＰＡを形成し、他の二片に雌実ＰＢを形成した雄実雌実付きのパネルに形成したもの、若しくは該構造合板パネルの四方の辺全部を本実加工の雌実ＰＢを加工形成した雌実付きのパネルに形成したものとして、雄実雌実付きのパネルの雌実ＰＢあるいは雌実付きのパネルの雌実ＰＢ同士を接合する際に、雌実ＰＢ同士に嵌合する細幅の雇い実Ｓを用いて接合するのに、該雇い実Ｓを雌実ＰＢに嵌合した状態で目隠し釘Ｋを雇い実Ｓとパネル部を貫通させた状態に打って構造合板パネルを捨張コンパネ又は根太などの下地部材に接合して後、該雇い実Ｓに隣接する構造合板パネルと接合できることを特徴とする小幅板を斜めに接合してなる構造合板パネルにしたものである。
【０００７】
これにより、現在の住宅建築は壁面内に筋違いを入れて一本の木で横荷重を線で受けるものであるに対して、斜め板部材を接合してなる構造合板パネルは横からの荷重を面全体で受けることができるもので構造合板パネルの巧みな組み合わせ構成でコスト安価に強度を保つことができる。また、雇い実Ｓと目隠し釘Ｋの採用により構造合板パネルを下地部材に確実に接合して隣接する構造合板パネルとの接合を確実にできる。
【０００８】
第二に、構造合板の板材を作るのに、この構造合板パネルの裏側に強度を増す為に上下若しくは左右方向に補強材Ｈを入れ横若しくは縦からの荷重に対して強度を増やした補強材付きの構造合板パネルと、構造合板パネルの裏面に補強材を入れてない補強材無しの構造合板パネルとを加工形成したことを特徴とし、更に第三に、構造合板の部材Ａを作るのに、小幅板材を構造合板の辺に対して斜め方向に配置して、木端側を斜めに張り合わせた斜行板に構成し、次に、裏面に二本から四本位の補強材を裏の面と平らになるように入れて強度を増した補強材付きの構造合板パネルと、もう一つは裏面に補強材の入ってない補強材無しの構造合板パネルとを加工形成して合板サイズと同様サイズに出来上がった斜行板を接合してなることを特徴とする。
上記のように斜めの角度の斜行板にしてあることで、横からの荷重がかかった場合に、荷重を斜行板の面全体で受けることができる構造合板パネルを提供することができる。更に強度的に有利な裏面に補強材を入れると強度の増した構造合板パネルを提供することができる。
【０００９】
第四に、小幅板材を杉、桧等からなる板材で構成し、該板材の厚さ１０ミリ〜４０ミリ位、巾６０ミリ〜１２０ミリ位に構成し、合板パネルサイズは一辺の長さが３００〜９００ミリの方形状に構成したことを特徴としてあるので、間伐材等の有効活用を図ることができると共に既存の製材設備を活用して小幅板を斜めに接合した構造合板パネルを安価に作成することができる。
【００１０】
第五に、斜行板に構成する小幅板材の中央に位置する実加工部接合面を方形角部の対角線上に位置するように配置して上下に振り分け接続するように構成したことを特徴とし、この斜行板構成で構成簡単にした構造合板パネルを意匠性良くして安価に作成することができる。
【００１１】
第六に、斜行板に構成する小幅板材の中央に位置する実加工部接合面を方形角部の対角線上に位置するように配置して上下に振り分け接続するように構成し、構造合板パネルの隣接する二片に形成した雄実に対して、表側において斜行板の方向を、右肩下がり傾向に形成したパターン１のものと、右肩上がり傾向に形成したパターン２のものに形成し、パターン１のものと、パターン２のものを適宜に組み合わせて住宅用材料に構成できるようにしたことを特徴とし、これにより任意の模様に意匠性良く接続して組み合わせることができる構造合板パネルを提供することができる。
又もうひとつ、本考案の構造合板パネルの四方の辺全部を本実加工のメス加工として図１０のＰＢと、雇い実Ｓを入れ接着剤Ｍを充填して隣接の合板パネルと接合させると図１０に示されるパターン７の構造合板パネル一枚の製造だけで、任意な意匠形態のものを得ることができる。これらにより図１１及び図１２に示される組み合わせパターン３〜組み合わせパターン６の意匠形態を得ることができる。
【考案の効果】
【００１２】
本考案によれば、小幅板を斜めに張り合わせ一枚のパネルにして、構造合板パネルを構成簡単にして提供でき、横からの荷重がかかった場合にも荷重を住宅用構造合板で構成する板部材の面全体で受けることができるので強度的にも強く、これらを間伐材等の利用も可能にしてコスト安価に提供できる効果がある。また、雇い実Ｓと目隠し釘Ｋの採用により構造合板パネルを下地部材に確実に接合することができて強度を強くすることがてぎ更に隣接する構造合板パネルとの接合を確実にできる。
【００１３】
この、小幅板を斜めに張り合わせ一枚の構造合板パネルしたものでも十分に横からの荷重には強度があるが、この構造合板パネルの裏面に板状の補強材Ｈを入れると面全体の強度が増して横からの荷重に対しても強度的にもより強くなる。
【００１４】
そして、これらの構造合板パネルは、任意の模様に意匠性良く接続して組み合わせることができるので、天井材、壁材、床材などに使用でき、更に木製ドア、引き戸、建具材、テーブルの天板、家具材の横板、等としても使用できるものである。
殊にテーブルの天板に使用すれば、現在市販されている普通の一枚板よりも強度が強いものが得られる利点がある。
【図面の簡単な説明】
【００１５】
【図１】本考案の第１実施例である斜行板の構造合板パネルの単板を示し、パターン１およびパターン２の板表とを示す平面図と板の継手断面図である。
【図２】組み合わせパターン１を示す組み付け前の斜視図と組み付け後の斜視図である。
【図３】図２の組み付け後の平面図である。
【図４】組み合わせパターン２を示す組み付け前の斜視図と組み付け後の斜視図である。
【図５】図４の組み付け後の平面図である。
【図６】組み合わせパターン３を示す組み付け後の平面図である。
【図７】組み合わせパターン４を示す組み付け後の平面図である。
【図８】構造合板パネルの本実加工継手の要部拡大図である。
【図９】小幅板材１側面の木端側を、実加工して接合可能とする実施例を示す要部断面図である。
【図１０】パネルの裏面に補強材を入れて無い補強材無しの構造合板パネルを示す平面図と断面部である。
【図１１】パネルの四方の辺を本実加工の雌加工にして雇い実を入れ隣接のパネルと接続した組み合わせパターンを示す平面図である。
【図１２】パネルの四方の辺を本実加工の雌加工にして雇い実を入れ隣接のパネルと接続した組み合わせパターンを示す平面図である。
【図１３】パネルの四方メス加工でパネルの裏面に補強材を入れて無い補強材無しの構造合板パネルを示す平面図と断面図である。
【図１４】パネルに隣接する、２方オス加工２方メス加工で裏面に補強材を入れてる補強材付きの構造合板パネルを示す平面図と断面図である。
【図１５】パネルの四方メス加工でパネルの裏面に補強材を入れてある補強材付きの構造合板パネルを示す平面図と断面図である。
【図１６】パネルの四方の辺メス加工で隣接するパネルとの接続方法を示す断面図、パネルと下地材（捨張）との接着方法を示す断面図、パネルと下地材（根太）との接着方法を示す断面図である。
【図１７】パネルの四方の辺メス加工で隣接するパネルとの接続方法の断面図、パネルと下地材との接着方法の断面図である。
【図１８】小幅板の接着方法の断面図である。
【考案を実施するための形態】
【００１６】
以下、実施例に関する図面に基づいて本考案を詳細に説明する。
本考案は帯状の小幅板材１側面の木端側を凹凸結合する形態の実加工して一対の雄実１Ａと雌実１Ｂを形成し、該小幅板材１の実加工部１Ａ、１Ｂを接合して一辺が約４５センチの正方形状の平板状の構造合板形態に構成した構造合板パネルに関するものである。そして、裏面に補強材Ｈを入れた補強材付の構造合板パネルと、補強材Ｈをいれない補強材無しの構造合板パネルとの構造合板パネルを完成したものである。
【実施例１】
【００１７】
図１〜図３は、本考案の第１実施例である、斜行板を交差させた構造合板を示しているものである。図１に示す杉、桧等からなる板材で、該板材の厚さ１０ミリ〜４０ミリ位、巾６０ミリ〜１２０ミリ位に構成した帯状の小幅板材１側面の木端側を、図８に図示するように凹凸に実加工して一対の雄実１Ａと雌実１Ｂを形成し、該小幅板材の実加工部１Ａ、１Ｂを接合して正方形一辺の長さが４５０ミリ程度の平板状の構造合板パネル形態に構成するものであり、該構造合板ＧＰの表面側部材Ａを作るのに、前記小幅板材１を構造合板周囲の辺に対して斜め方向に配置して、木端側を斜めに張り合わせた方形の斜行板に構成した構造合板である。構造合板パネルのタイプに裏面に補強材Ｈを設けた補強材付の構造合板パネルと補強材Ｈ無しの補強材無しの構造合板パネルとの２タイプを設けている。
補強材Ｈ入り構造合板は図１４に示されており、裏面に二本から四本の５ミリ×２０ミリの板状の補強材Ｈを裏面と同じ面になるように均一平坦状に入れ構造合板パネルを補強する。又もう一つは図１０に示される補強材Ｈ無しの構造合板パネルである。
本考案者においては、上記小幅板材１を厚さ１５ミリ位、巾７５ミリ位のもので、図９に説明する本実加工を採用して接合して、一辺の長さが４５０ミリの平板状の構造合板パネルに構成して実験テストをした。
【００１８】
斜めに張り合わせるのには、予め小幅板材１の幅に合わせた多数本の斜め線を線引きしたゲージ板部材を水平に置き、その上に小幅板材１を斜め線に合わせながら並べて木端側を斜めに張り合わせていくと斜め方向が揃った斜行板が出来上がる。この方法は工芸的手法であるが少量生産の時には安価で確実にできる。大量生産が必要になる時には専用の斜行板製造機を用意しておくと便利である。このようにして、合板パネル形態に出来上がった、斜行板に図１５補強材Ｈを入れた補強材付の構造合板パネルものと、図１０の補強材Ｈの入れてない補強材無しの構造合板パネルとの二通りの構造合板パネルとすることができる。
【００１９】
そして、該構造合板パネルと隣接する構造合板パネルの接続方法は二通りにしている。まず第一の方法として、構造合板パネルＧＰの隣接する二片に凸状の雄実ＰＡを形成し、他の二片に凹状の雌実ＰＢを形成して、他の合板パネルＧＰを組み合わせて接続展開できるようにする。図９に本実加工継手の要部拡大を示すように、雄実ＰＡの小口は上下でＬ寸法だけ段違いに形成されており、構造合板パネルＧＰの接続時に合板パネルＧＰの膨張、収縮の逃げを裏面側でとるようにしてある。
もうひとつの接合方法は、図１０に示される構造合板パネルＧＰの四方全部を本実加工の凹状の雌加工ＰＢにして、細い板状の雇い実Ｓを雌加工ＰＢの中に接着剤を充填Ｍして. 細幅板状の雇い実Ｓを目隠し釘Ｋで止め固定して隣接するパネルと接合出来るようにした。このとき、雌実ＰＢ同士に嵌合する細幅板状の雇い実Ｓを用いて接合するのに、該雇い実Ｓを雌実ＰＢに嵌合した状態で目隠し釘Ｋを雇い実Ｓとパネル部を貫通させた状態に打って構造合板パネルを捨張コンパネ又は根太などの下地部材に接合して後、該雇い実Ｓに隣接する構造合板パネルと接合できるようにしてあり、下地材を利用して接合された構造合板パネルの接続が強度的に補強されて、床材として壁材として耐久性良く長年月に亘って確実に止められるものである。
【００２０】
この場合、斜行板に構成する小幅板材１の中央に位置する実加工部接合面Ｘを方形角部Ｙ、Ｙの対角線上に位置するように配置して位置決め接続し、各小幅板材１を上下に振り分け接続するように構成すると意匠バランスが良い感じとなり美観に優れた感覚を得ることができる。さらに、斜行板に構成する小幅板材の中央に位置する実加工部接合面を方形角部の対角線上に位置するように配置して上下に振り分け接続するように構成し、構造合板パネルの隣接する二片に形成した雄実ＰＡに対して、表側において斜行板の方向を、右肩下がり傾向に形成したパターン１の構造合板パネルＧＰ１と、右肩上がり傾向に形成したパターン２の構造合板パネルＧＰ２に形成し、パターン１の構造合板パネルＧＰ１と、パターン２の構造合板パネルＧＰ２を適宜に組み合わせて住宅用材料に構成できるようにすると、図２〜図７に示すように各種の組み合わせパターンが得られるものである。又もう一つの構成として、図１０に示すようにパネルの四方全部を本実加工の雌実ＰＢに加工して、上記に説明したように雇い実Ｓを雌実ＰＢに雇い（雌実ＰＢに嵌合する）目隠し釘Ｋで止め隣接のパネルと接合する方法をとれば、図１０に示されるパターン７の構造合板パネルＧＰ７だけ製造すれば、斜めの向きを自由に変えれるので、この接合方法だとパターン2のＧＰ2は製造しなくても、図１０のパターン７の構造合板パネルＧＰ７の製造だけで構造合板パネルの表面に現出して出来た斜めのラインを模様として各種の意匠形態を自由に作り出せる。
【００２１】
構造合板パネルの隣接する構造合板パネルとの接続方法は本実加工の雄雌加工ＰＡ、ＰＢがパネルに付いている場合は、図１のように目隠し釘Ｋを本実加工の雄の部分ＰＡに打ち込んで捨張りの部分まで打ち抜き接着剤Ｍを雌加工の部分ＰＢに充填して接合する。図１０の四方の辺全部を本実加工の雌加工ＰＢにしている構造合板パネルの接続方法は図１０、図１６のように細い板状の雇い実Ｓを雌加工ＰＢの中に入れ接着剤Ｍを充填して目隠し釘Ｋで捨張り又は根太まで打ち抜き接続させる。
なお、図１６に示される目隠釘Ｋは、打ち込む最終工程の直前のものであり、最終的には更に打ち込んで図１の状態になるものである。
【産業上の利用可能性】
【００２２】
本考案の構造材は、天井材、壁材、床材などに使用でき、更に木製ドア、引き戸、建具材テーブルの天板、家具材の横板、等としても使用できるものであり、木製品の平板部材として各部所に活用できる。また、合板パネルサイズは一辺の長さが４５０ミリの方形状に構成したもので説明したが３００〜９００ミリの範囲サイズにしたものに加工して利用できるものである。また、図２のパターン１、図４のパターン２、図１１のパターン３、パターン４のものをそれぞれ組み合わせて利用することも可能である。
【符号の説明】
【００２３】
１  小幅板材
１Ａ  雄実
１Ｂ  雌実
Ａ  表面側部材
ＧＰ  構造合板
ＰＡ  雄実
ＰＢ  雌実
Ｓ    雇い実
Ｋ  目隠し釘
Ｍ  接着剤充填
【図１】
0003153229.tif 000003
【図２】
0003153229.tif 000004
【図３】
0003153229.tif 000005
【図４】
0003153229.tif 000006
【図５】
0003153229.tif 000007
【図６】
0003153229.tif 000008
【図７】
0003153229.tif 000009
【図８】
0003153229.tif 000010
【図９】
0003153229.tif 000011
【図１０】
0003153229.tif 000012
【図１１】
0003153229.tif 000013
【図１２】
0003153229.tif 000014
【図１３】
0003153229.tif 000015
【図１４】
0003153229.tif 000016
【図１５】
0003153229.tif 000017
【図１６】
0003153229.tif 000018
【図１７】
0003153229.tif 000019
【図１８】
0003153229.tif 000020